(57)【要約】【課題】本発明はスピーカの音声出力を低下させることなく、小型化することを目的とする。【解決手段】マグネット７と、このマグネット７の略水平方向に配置されるとともに磁気回路形成体である第一のヨーク１１と、この第一のヨーク１１の下端部に配置され、磁気的に連結された第二のヨーク１２と、第一のヨーク１１とマグネット７の間に形成される磁気ギャップ１３に可動自在に配置されたボイスコイル１４と、このボイスコイル１４を支持する振動板１５とを備え、この振動板１５の外周部は第一のヨーク１１及び第二のヨーク１２にて挟持する構成としたので、振動板１５を保持するためのフレームをヨークの外側に備える必要がなくなる、あるいはフレームを小型化することが可能となり、この結果スピーカを小型化できる。【選択図】図１
2008263418.tif 000002
【特許請求の範囲】
【請求項１】
マグネットと、
このマグネットの略水平方向に配置されるとともに磁気回路形成体である第一のヨークと、
この第一のヨークの下端部に配置され、磁気的に連結された第二のヨークと、
前記第一のヨークと前記マグネットの間に形成される磁気ギャップに可動自在に配置されたボイスコイルと、
このボイスコイルを支持する振動板とを備え、
この振動板の外周部は前記第一のヨーク及び前記第二のヨークにて挟持されたスピーカ。
【請求項２】
前記振動板における前記ボイスコイルの接続位置より外側のエッジ部は、前記第一のヨークの下面側に配置された請求項１に記載のスピーカ。
【請求項３】
第二のヨークは断面コの字型の皿状である請求項１に記載のスピーカ。
【請求項４】
第二のヨークの下方に背面放音孔を設けた請求項１に記載のスピーカ。
【請求項５】
第二のヨークの側面に側面放音孔を設けた請求項１に記載のスピーカ。
【請求項６】
請求項１〜５の何れか一つに記載のスピーカが用いられた電子機器。
【発明の詳細な説明】
【技術分野】
【０００１】
本発明は、スピーカとそれを用いた電子機器に関するものである。
【背景技術】
【０００２】
現在、携帯電話や薄型テレビがますます小型化され、そしてそれらの電化製品に内蔵させるタイプのスピーカにおいても小型化が要求されている。
【０００３】
図３に示す従来のスピーカは、断面コの字状のヨーク１と、このヨーク１の内底部中央に配置されるマグネット２と、このマグネット２とヨーク１が形成する磁気ギャップ３に可動自在に配置されたボイスコイル４と、このボイスコイル４を支持する振動板５と、この振動板５の外周部が接続されたフレーム６とを備えていた。
【０００４】
そして、このような構成のスピーカにおいては、マグネット２や振動板５を小さくすることでスピーカ全体の小型化を図っていた。
【０００５】
なお、本発明の先行技術文献としては、例えば、特許文献１が挙げられる。
【特許文献１】特開２００４−８８２９６号公報
【発明の開示】
【発明が解決しようとする課題】
【０００６】
しかしながら、磁力は磁石の大きさと比例するため、上記従来のスピーカにおいて小型化のためにマグネット２を小さくすると、マグネット２の磁力が小さくなってしまい、その結果、十分に満足できるほどの音声出力をスピーカから得ることができないという問題点があった。
【０００７】
また、振動板５を小さくした場合では、振動板５は十分な音声出力を得るだけの振幅を確保できないという問題点があった。
【０００８】
そこで、本発明は音声出力を低下させることなく、スピーカを小型化することを目的とする。
【課題を解決するための手段】
【０００９】
そして、この目的を達成するために本発明は、マグネットと、このマグネットの略水平方向に配置されるとともに磁気回路形成体である第一のヨークと、この第一のヨークの下端部に配置され、磁気的に連結した第二のヨークと、第一のヨークとマグネットの間に形成される磁気ギャップに可動自在に配置されたボイスコイルと、このボイスコイルに接続された振動板とを備え、この振動板の外周部は前記第一のヨーク及び前記第二のヨークにて挟持された構成とした。
【発明の効果】
【００１０】
上記構成により本発明は、音声出力を低下させることなく、スピーカを小型化することができる。
【００１１】
すなわち、本発明は、従来のスピーカのように振動板をフレームに接続するのではなく、ヨークに接続することが可能な構成としたことにより、ヨークの外側にフレームを設ける必要がなくなる、あるいはフレームを小型化できるという効果を有する。この結果、音声出力を低下させることなく、スピーカ全体を小型化することができるのである。
【発明を実施するための最良の形態】
【００１２】
（実施の形態１）
以下、本発明の実施の形態１におけるスピーカの構成について図面を用いて説明する。
【００１３】
図１において、マグネット７は下部プレート８の底部中央に配置され、さらに、マグネット７の上部には上部プレート９が載置されている。これら下部プレート８および上部プレート９は金属で形成され、マグネット７とともに磁気回路体１０の一部を構成している。
【００１４】
また、第一のヨーク１１も磁気回路体１０の一部を構成しており、図１に示すように上部プレート９およびマグネット７の略水平方向に配置されている。
【００１５】
さらに、第一のヨーク１１の下部には矩形状の第二のヨーク１２が配置されている。この第二のヨーク１２も磁気回路体１０の一部である。
【００１６】
すなわち、本発明の実施の形態１においてはマグネット７、上部プレート９、第一のヨーク１１、第二のヨーク１２、および下部プレート８が磁気回路体１０を形成しており、この磁気回路体１０が第一のヨーク１１と下部プレート９の間に形成する磁気ギャップ１３には長形円状のボイスコイル１４が配置されている。
【００１７】
また、このボイスコイル１４は振動板１５にて支持されている。この振動板１５においてボイスコイル１４の接続位置より外側の部分にあたるエッジ部１５ａは、図１に示すように第一のヨーク１１の下面側において、第一のヨーク１１の配置方向とは逆方向に突出して設けられており、さらに、エッジ部１５ａの外周端部は第一のヨーク１１及び第二のヨーク１２にて挟持され固定されている。ここで、第一のヨーク１１の形状を図１に示すように断面Ｌ字状とし、さらにエッジ部１５ａを覆うように設けているため、第一のヨーク１１の内周端部は第二のヨーク１２の内周端部よりもマグネットに近い位置にある。
【００１８】
なお、本実施の形態１におけるスピーカは図１（ｂ）に示すように、スピーカの背面側に背面放音孔１６を設けた背面放音タイプのものである。
【００１９】
以上の状態で、図１（ａ）に示すように、マグネット７の厚み方向の上面側はＮ極、厚み方向の下面側はＳ極に磁化されている。
【００２０】
この結果、マグネット７のＮ極から出た磁束は、上部プレート９を介して第一のヨーク１１を目指し、ボイスコイル１４を通過しながら略水平方向に進行する。さらに、第一のヨーク１１に到達した磁束は、第一のヨーク１１と磁気的に連結された第二のヨーク１２へと進入する経路をとる。そして、磁束は第二のヨーク１２から下部プレート８へと順に通過した後、マグネット７のＳ極へと到達する。したがってこの結果、磁気回路体１０が形成されるのである。
【００２１】
次に、本発明の実施の形態１におけるスピーカの動作および効果について述べる。
【００２２】
ボイスコイル１４に音声信号を付加した電気信号を印加すると、磁気回路体１０が形成する磁気ギャップ１３内の磁界と反応し、フレミング左手の法則に従ってボイスコイル１４には上下方向に駆動力が発生する。そして、ボイスコイル１４に接続された振動板１５に駆動力が伝達し、この結果、振動板１５が振動することで音を発生させ、図１（ｂ）に示す背面放音孔１６から音声を放射する仕組みとなっている。
【００２３】
前記従来のスピーカの構成では、振動板１５を小さくすることやマグネット７を小さくすることでスピーカ全体の小型化を図る必要があり、その結果その音声出力までもが低減してしまうものであった。
【００２４】
そこで、本発明の実施の形態１では、図１に示すような構成とすることで音声出力を低下させることなくスピーカの小型化を可能なものとした。
【００２５】
これは振動板１５の外周部を第一のヨーク１１及び第二のヨーク１２にて挟持した構成による。すなわち、従来のスピーカにおいては、ヨークのさらに外側に設けたフレームに振動板の外周部を接続した構成としていたが、これを本実施の形態１においては、振動板１５を第一のヨーク１１及び第二のヨーク１２にて保持可能な構成としたため、第一のヨーク１１及び第二のヨーク１２の外側に振動板１５保持のためのフレームを設ける必要がなくなる、あるいはフレームを小型化できるものである。したがって、本実施の形態１におけるスピーカは、径が小型化されている。
【００２６】
また、エッジ部１５ａは第一のヨーク１１の下面側に配置されている。この結果、図３に示される従来のスピーカのようにエッジ部５ａを配置するためのスペース５ｂをヨーク１の上面側に設ける必要がなくなり、スピーカの厚み方向の薄型化が可能となっている。
【００２７】
なお、本実施の形態１では第二のヨーク１２と下部プレート８を別構成としたが、これらを一体化させて断面がコの字型の皿状ヨークとしてもよい。この場合においても、上述と同様の磁気回路体１０が形成される。
【００２８】
また、本実施の形態１では背面放音タイプのスピーカとしたが、これは図２に示すようにスピーカの側面に側面放音孔１７を設け、側面放音タイプのスピーカとしてもよい。この場合においても、スピーカの音声出力を低下させることなく、小型化を図ることが可能である。
【産業上の利用可能性】
【００２９】
以上のように、本発明によるとスピーカの音声出力を低下させることなく、小型化することが可能であり、特に携帯電話機などの小型のスピーカを搭載する電子機器において有用である。
【図面の簡単な説明】
【００３０】
【図１】（ａ）本発明の実施の形態１における背面放音タイプのスピーカの長径方向の断面図、（ｂ）本発明の実施の形態１における背面放音タイプのスピーカの短径方向の断面図
【図２】本発明の実施の形態１における側面放音タイプのスピーカの短径方向の断面図
【図３】従来のスピーカの断面図
【符号の説明】
【００３１】
７  マグネット
８  下部プレート
９  上部プレート
１０  磁気回路体
１１  第一のヨーク
１２  第二のヨーク
１３  磁気ギャップ
１４  ボイスコイル
１５  振動板
１５ａ  エッジ部
１６  背面放音孔
１７  側面放音孔
【図１】
2008263418.tif 000003
【図２】
2008263418.tif 000004
【図３】
2008263418.tif 000005